(57)【要約】【課題】従来、多面的機能支払の支援を容易に行えなかった。【解決手段】地域の活動に関する１以上の活動情報が格納されている２以上のファイルを受け付ける受付部と、２以上のファイルの各属性値に対応する地域識別子、または２以上の各ファイルの中の地域識別子を、ファイルごとに取得する地域識別子取得部と、２以上の各ファイルに格納されている１以上の活動情報を取得する活動情報取得部と、活動情報取得部が取得した１以上の活動情報を、地域識別子取得部が取得した地域識別子に対応付けて、データベースに蓄積する蓄積部とを具備する多面的機能支払支援装置により、多面的機能支払の支援を容易に行える。【選択図】図１
2018060565.tif 000002
【特許請求の範囲】
【請求項１】
地域の活動に関する１以上の活動情報が格納されている２以上のファイルを受け付ける受付部と、
前記２以上の各ファイルのファイル名を用いて、地域識別子をファイルごとに取得する地域識別子取得部と、
前記２以上の各ファイルに格納されている情報の一部であり、文字列である１以上の活動情報を取得する活動情報取得部と、
前記活動情報取得部が取得した１以上の活動情報と前記地域識別子取得部が取得した地域識別子とを、対応付けて、データベースに蓄積する蓄積部とを具備する多面的機能支払支援装置。
【請求項２】
前記蓄積部は、
前記受付部が受け付けたファイルをも蓄積する請求項１記載の多面的機能支払支援装置。
【請求項３】
前記活動情報は、
表計算ソフトの形式を有する前記ファイルの中の、予め決められた特定のセルの情報である請求項１または請求項２記載の多面的機能支払支援装置。
【請求項４】
前記受付部は、
ファイルに対応付いた１以上の撮影画像も受け付け、
前記蓄積部は、
前記１以上の撮影画像も、前記取得した１以上の活動情報に対応付けてデータベースに蓄積する請求項１から請求項３いずれか一項に記載の多面的機能支払支援装置。
【請求項５】
前記撮影画像は、位置情報に対応付けられており、
前記撮影画像に対応する地域識別子に対応する地図情報または前記撮影画像に対応する地域識別子に対応する領域情報と、前記撮影画像に対応付いている位置情報とが予め決められた関係にあるか否かを示す位置整合性を判断する判断部と、
前記判断部における判断結果を出力する出力部とをさらに具備する請求項４記載の多面的機能支払支援装置。
【請求項６】
前記受付部は、
ファイルに対応付いた１以上の撮影画像も受け付け、
前記蓄積部は、
前記１以上の撮影画像も、前記取得した１以上の活動情報に対応付けてデータベースに蓄積し、
前記ファイルは、活動のスケジュールに関するスケジュール情報を含み、
前記撮影画像は、撮影された日付に関する日付情報に対応付いており、
前記撮影画像に対応するファイルに含まれるスケジュール情報と、前記撮影画像に対応付いている日付情報とが整合性がとれているか否かを示す日付整合性を判断する判断部と、
前記判断部における判断結果を出力する出力部とをさらに具備する請求項１から請求項５いずれか一項に記載の多面的機能支払支援装置。
【請求項７】
受付部、地域識別子取得部、活動情報取得部、および蓄積部により実現される多面的機能支払支援方法であって、
前記受付部が、地域の活動に関する１以上の活動情報が格納されている２以上のファイルを受け付ける受付ステップと、
前記地域識別子取得部が、前記２以上の各ファイルのファイル名を用いて、地域識別子をファイルごとに取得する地域識別子取得ステップと、
前記活動情報取得部が、前記２以上の各ファイルに格納されている情報の一部であり、文字列である１以上の活動情報を取得する活動情報取得ステップと、
前記蓄積部が、前記活動情報取得ステップで取得された１以上の活動情報を、前記地域識別子取得ステップで取得された地域識別子に対応付けて、データベースに蓄積する蓄積ステップとを具備する多面的機能支払支援方法。
【請求項８】
コンピュータを、
地域の活動に関する１以上の活動情報が格納されている２以上のファイルを受け付ける受付部と、
前記２以上の各ファイルのファイル名を用いて、地域識別子をファイルごとに取得する地域識別子取得部と、
前記２以上の各ファイルに格納されている情報の一部であり、文字列である１以上の活動情報を取得する活動情報取得部と、
前記活動情報取得部が取得した１以上の活動情報を、前記地域識別子取得部が取得した地域識別子に対応付けて、データベースに蓄積する蓄積部として機能させるためのプログラム。
【発明の詳細な説明】
【技術分野】
【０００１】
本発明は、多面的機能支払交付金の活用を支援する多面的機能支払支援装置等に関するものである。
【背景技術】
【０００２】
平成２６年度から、多面的機能支払交付金により農業・農村の有する多面的機能の維持・発揮を図るための地域の共同活動を支援する制度が農林水産省から提示されている（例えば、非特許文献１参照）。
【０００３】
また、従来、多面的機能支払交付金に関するファイルであり、活動報告に関するファイルは、人手により管理されていた。
【先行技術文献】
【非特許文献】
【０００４】
【非特許文献１】"多面的機能支払交付金"、［online］、［平成２８年３月２７日検索］、インターネット［URL：http://www.maff.go.jp/j/nousin/kanri/tamen_siharai.html］
【発明の概要】
【発明が解決しようとする課題】
【０００５】
しかしながら、従来、多面的機能支払の支援を容易に行えなかった。
【課題を解決するための手段】
【０００６】
本第一の発明の多面的機能支払支援装置は、地域の活動に関する１以上の活動情報が格納されている２以上のファイルを受け付ける受付部と、２以上のファイルの各属性値に対応する地域識別子、または２以上の各ファイルの中の地域識別子を、ファイルごとに取得する地域識別子取得部と、２以上の各ファイルに格納されている１以上の活動情報を取得する活動情報取得部と、活動情報取得部が取得した１以上の活動情報を、地域識別子取得部が取得した地域識別子に対応付けて、データベースに蓄積する蓄積部とを具備する多面的機能支払支援装置である。
【０００７】
かかる構成により、複数地域から受け付けた多面的機能支払のための活動に関する情報を適切に管理できる。
【０００８】
また、本第二の発明の多面的機能支払支援装置は、第一の発明に対して、地域識別子取得部は、２以上の各ファイルのファイル名を用いて地域識別子をファイルごとに取得する多面的機能支払支援装置である。
【０００９】
かかる構成により、複数地域から受け付けた多面的機能支払のための活動に関する情報を適切に管理できる。
【００１０】
また、本第三の発明の多面的機能支払支援装置は、第一または第二の発明に対して、地域識別子に対応付いた１以上の地図情報が格納される地図情報格納部をさらに具備し、蓄積部は、地域識別子取得部が取得した地域識別子に対応する地図情報または、地域識別子取得部が取得した地域識別子に対応する地図上の領域を識別する領域情報にも対応付けて、取得した１以上の活動情報をデータベースに蓄積する多面的機能支払支援装置である。
【００１１】
かかる構成により、複数地域から受け付けた多面的機能支払のための活動に関する情報を適切に管理できる。
【００１２】
また、本第四の発明の多面的機能支払支援装置は、第一から第三いずれか１つの発明に対して、受付部は、ファイルに対応付いた１以上の撮影画像も受け付け、蓄積部は、１以上の撮影画像も、取得した１以上の活動情報に対応付けてデータベースに蓄積する多面的機能支払支援装置である。
【００１３】
かかる構成により、複数地域から受け付けた多面的機能支払のための活動に関する情報を適切に管理できる。
【００１４】
また、本第五の発明の多面的機能支払支援装置は、第四の発明に対して、撮影画像は、位置情報に対応付けられており、撮影画像に対応する地域識別子に対応する地図情報または撮影画像に対応する領域情報と、撮影画像に対応付いている位置情報とが予め決められた関係にあるか否かを示す位置整合性を判断する判断部と、判断部における判断結果を出力する出力部とをさらに具備する多面的機能支払支援装置である。
【００１５】
かかる構成により、複数地域から受け付けた撮影画像の撮影位置に関する整合性を検査できる。
【００１６】
また、本第六の発明の多面的機能支払支援装置は、第五の発明に対して、判断部は、撮影画像に対応付いている位置情報が示す位置が、撮影画像に対応する地域識別子に対応する地図情報が示す領域の範囲外または撮影画像に対応する領域情報が示す領域の範囲外であっても、領域から予め決められた条件を満たすほど近い場合は、予め決められた関係にあると判断する多面的機能支払支援装置である。
【００１７】
かかる構成により、複数地域から受け付けた撮影画像の撮影位置に関する整合性を適切に検査できる。
【００１８】
また、本第七の発明の多面的機能支払支援装置は、第五または第六の発明に対して、撮影画像は、撮影時の向きを示す向き情報にも対応付いており、判断部は、向き情報をも用いて、撮影画像に対応する地図情報または撮影画像に対応する領域情報と、撮影画像に対応付いている位置情報とが予め決められた関係にあるか否かを判断する多面的機能支払支援装置である。
【００１９】
かかる構成により、複数地域から受け付けた撮影画像の撮影位置に関する整合性を適切に検査できる。
【００２０】
また、本第八の発明の多面的機能支払支援装置は、第四の発明に対して、ファイルは、活動のスケジュールに関するスケジュール情報を含み、撮影画像は、撮影された日付に関する日付情報に対応付いており、撮影画像に対応するファイルに含まれるスケジュール情報と、撮影画像に対応付いている日付情報とが整合性がとれているか否かを示す日付整合性を判断する判断部と、判断部における判断結果を出力する出力部とをさらに具備する多面的機能支払支援装置である。
【００２１】
かかる構成により、複数地域から受け付けた多面的機能支払のための活動に関する情報が有するスケジュール情報に関する整合性を適切に検査できる。
【００２２】
また、本第九の発明の多面的機能支払支援装置は、第四の発明に対して、ファイルは、活動のスケジュールに関するスケジュール情報を含み、スケジュール情報について、天気に関する判断である天気判断を行う判断部と、判断部における判断結果を出力する出力部とをさらに具備し、判断部は、スケジュール情報に対応する天気情報を取得する天気情報取得手段と、天気情報取得手段が取得した天気情報が予め決められた条件を満たすか否かを示す天気整合性を判断する判断手段とを具備する多面的機能支払支援装置である。
【００２３】
かかる構成により、複数地域から受け付けた多面的機能支払のための活動に関する情報の整合性を適切に検査できる。
【００２４】
また、本第十の発明の多面的機能支払支援装置は、第四の発明に対して、不適切な撮影画像を判断する情報である１以上の判断情報が格納される判断情報格納部をさらに具備し、１以上の撮影画像に対して、予め決められた条件を満たすか否かを判断する判断部と、判断部における判断結果を出力する出力部とをさらに具備する多面的機能支払支援装置である。
【００２５】
かかる構成により、複数地域から受け付けた撮影画像の内容を適切に検査できる。
【００２６】
また、本第十一の発明の多面的機能支払支援装置は、第十の発明に対して、判断部は、ファイルから１以上の判断対象情報を取得する判断対象情報取得手段と、撮影画像から１以上の画像属性値を取得する画像属性値取得手段とをさらに具備し、１以上の判断対象情報と１以上の画像属性値とを用いて、１以上の撮影画像に対して、予め決められた条件を満たすか否かを判断する多面的機能支払支援装置である。
【００２７】
かかる構成により、複数地域から受け付けた撮影画像の内容を適切に検査できる。
【発明の効果】
【００２８】
本発明による多面的機能支払支援装置によれば、多面的機能支払の支援を容易に行える。
【図面の簡単な説明】
【００２９】
【図１】実施の形態１における多面的機能支払支援装置１のブロック図
【図２】同多面的機能支払支援装置１の動作について説明するフローチャート
【図３】同判断処理について説明するフローチャート
【図４】同位置整合性判断について説明するフローチャート
【図５】同日付整合性判断について説明するフローチャート
【図６】同内容整合性判断について説明するフローチャート
【図７】同天気判断について説明するフローチャート
【図８】同地図情報を示す図
【図９】同領域管理表を示す図
【図１０】同ファイル例を示す図
【図１１】同ファイル例を示す図
【図１２】同撮影画像の例を示す図
【図１３】同撮影画像の例を示す図
【図１４】同撮影画像の例を示す図
【図１５】同撮影画像の例を示す図
【図１６】同撮影画像の例を示す図
【図１７】同写真管理表を示す図
【図１８】同データベースを示す図
【図１９】同コンピュータシステムの概観図
【図２０】同コンピュータシステムのブロック図
【発明を実施するための形態】
【００３０】
以下、多面的機能支払支援装置等の実施形態について図面を参照して説明する。なお、実施の形態において同じ符号を付した構成要素は同様の動作を行うので、再度の説明を省略する場合がある。
【００３１】
（実施の形態１）
本実施の形態において、２以上の各地域に対応するファイルを受け付け、ファイルの情報をＤＢに蓄積する多面的機能支払支援装置について説明する。なお、２以上の各地域とは、２以上の各領域でも良い。
【００３２】
また、本実施の形態において、ファイル名から地域識別子を取得し、当該地域識別子を用いて、ファイルの情報をＤＢに蓄積する多面的機能支払支援装置について説明する。
【００３３】
また、本実施の形態において、地域識別子に対応付く地図情報等に対応付いたレコードであり、ファイルの情報を有するレコードをＤＢに蓄積する多面的機能支払支援装置について説明する。
【００３４】
また、本実施の形態において、活動情報が格納されているファイルに対応する１以上の撮影画像も、レコードにリンク付ける多面的機能支払支援装置について説明する。
【００３５】
また、本実施の形態において、撮影画像の撮影位置や撮影内容に関するチェック、スケジュール情報のチェック、天気情報とスケジュールとの整合性のチェック等を行う多面的機能支払支援装置について説明する。
【００３６】
図１は、本実施の形態における多面的機能支払支援装置１のブロック図である。
【００３７】
多面的機能支払支援装置１は、格納部１１、受付部１２、処理部１３、および出力部１４を備える。
【００３８】
格納部１１は、ファイル格納部１１１、データベース１１２、地図情報格納部１１３、および判断情報格納部１１４を備える。
【００３９】
処理部１３は、地域識別子取得部１３１、活動情報取得部１３２、判断部１３３、および蓄積部１３４を備える。
【００４０】
判断部１３３は、天気情報取得手段１３３１、判断対象情報取得手段１３３２、画像属性値取得手段１３３３、および判断手段１３３４を備える。
【００４１】
格納部１１は、各種の情報を格納し得る。各種の情報とは、ファイル、データベース、地図情報等である。
【００４２】
ファイル格納部１１１は、１以上のファイルが格納される。ファイルとは、地域の活動に関する１以上の活動情報が格納されているファイルである。かかるファイルを、適宜、活動情報ファイルという。ファイルの名称であるファイル名は、地域識別子を含むことは好適である。地域識別子は、地域を識別する情報であり、例えば、地域名である。地域識別子は、一の地域の中での、一の領域を識別する情報でも良い。
【００４３】
データベース１１２は、１以上の活動情報を格納し得る。データベース１１２は、１以上のテーブルを有しても良いし、一つのテーブルでも良い。また、データベース１１２内に、複数のデータベースが存在しても良い。また、データベースとは、いわゆるリレーショナルデータベース（ＲＤＢ）に限らず、オブジェクト指向ＤＢ等、その形式は問わない。また、データベースとは、例えば、表計算ソフトで利用されるファイル等のファイルでも良く、広く解する。
【００４４】
地図情報格納部１１３は、地域識別子に対応付いた１以上の地図情報が格納される。地図情報は複数の領域を有する地図を示す情報でも良い。地図情報は複数の領域の領域識別子に対応付いていても良い。
【００４５】
判断情報格納部１１４は、不適切な撮影画像を判断するための情報である１以上の判断情報が格納される。判断情報は、プログラムでも良い。判断情報は、例えば、集合写真ではないこと、休憩中ではないこと、活動人数に近い人数の人が写っていること、集合写真ではないことを判断するプログラム、休憩中ではないことを判断するプログラム、活動人数に近い人数の人が写っていることを判断するプログラム等である。なお、撮影画像は、通常、静止画（写真）であるが、動画でも良い。撮影画像は、例えば、位置情報に対応付けられている。位置情報とは、位置を示す情報であり、通常、（緯度，経度）であるが、地図上の位置を特定する情報であれば何でも良い。位置情報は、高度の情報を含んでも良い。位置情報は、通常、撮影された位置を示す情報である。また、撮影画像は、例えば、撮影時の向きを示す向き情報にも対応付いていても良い。また、撮影画像は、撮影された日付に関する日付情報に対応付いいても良い。
【００４６】
受付部１２は、１以上の活動情報が格納されている２以上のファイルを受け付ける。活動情報は、地域の活動に関する情報である。活動は、多面的機能支払交付金の対象となる活動である。
【００４７】
受付部１２は、ファイルに対応付いた１以上の撮影画像も受け付けることは好適である。ここで、ファイルと１以上の撮影画像とを同様のタイミングで受け付けた場合も、ファイルと１以上の撮影画像とは対応付いている、とする。また、ファイルと１以上の撮影画像とがリンクづけられている等の場合は、ファイルと１以上の撮影画像とは対応付いている、とする。１以上のファイルと１以上の撮影画像とが同一のフォルダに格納されて、受け付けられた場合、当該１以上のファイルと１以上の撮影画像とは対応付いている、とする。ファイルは、活動のスケジュールに関するスケジュール情報を含むことは好適である。スケジュール情報は、例えば、日付を示す日付情報、日時を示す日時情報等である。
【００４８】
また、ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４９】
ファイル等の入力手段は、タッチパネルやキーボードやマウスやメニュー画面によるもの等、何でも良い。受付部１２は、タッチパネルやキーボード等の入力手段のデバイスドライバーや、メニュー画面の制御ソフトウェア等で実現され得る。
【００５０】
処理部１３は、各種の処理を行う。各種の処理とは、地域識別子取得部１３１、活動情報取得部１３２、判断部１３３、蓄積部１３４等が行う処理である。
【００５１】
地域識別子取得部１３１は、ファイルごとに地域識別子を取得する。地域識別子取得部１３１は、２以上のファイルの各属性値に対応する地域識別子、または２以上の各ファイルの中の地域識別子を、ファイルごとに取得する。ファイルの属性値は、例えば、ファイル名である。
【００５２】
地域識別子取得部１３１は、例えば、２以上の各ファイルのファイル名を用いて地域識別子をファイルごとに取得する。地域識別子取得部１３１は、例えば、ファイル名を構成する文字列から地域識別子を取得する。地域識別子取得部１３１は、例えば、ファイル名を構成する文字列であり、予め決められた条件を満たす文字列を、地域識別子として取得する。
【００５３】
活動情報取得部１３２は、２以上の各ファイルに格納されている１以上の活動情報を取得する。活動情報取得部１３２は、例えば、表計算ソフトの形式を有するファイルから、予め決められた１以上の特定のセルの情報である活動情報を取得する。
【００５４】
判断部１３３は、ファイル内の活動情報、または／および撮影画像のチェックを行う。このチェックは、例えば、後述する位置整合性のチェック、日付整合性のチェック、天気整合性のチェック、撮影画像内容のチェック等である。
【００５５】
判断部１３３は、例えば、撮影画像に対応する地域識別子に対応する地図情報または撮影画像に対応する領域情報と、撮影画像に対応付いている位置情報とが予め決められた関係にあるか否かを示す位置整合性を判断する。ここで、予め決められた関係とは、例えば、撮影画像に対応付いている位置情報が示す位置が、前記地図情報が示す領域内にあることである。また、予め決められた関係とは、例えば、撮影画像に対応付いている位置情報が示す位置が、領域情報が示す領域内にあること等である。
【００５６】
判断部１３３は、例えば、撮影画像に対応付いている位置情報が示す位置が、撮影画像に対応する地域識別子に対応する地図情報が示す領域の範囲外または撮影画像に対応する領域情報が示す領域の範囲外であっても、領域から予め決められた条件を満たすほど近い場合は、予め決められた関係にあると判断することは好適である。撮影画像が位置情報に対応付いていることは、位置情報が撮影画像の中（例えば、ヘッダーやフッターなど）に含まれていることでも良いし、位置情報が撮影画像にリンク付いていること等でも良い。
【００５７】
判断部１３３は、例えば、向き情報をも用いて、撮影画像に対応する地図情報または撮影画像に対応する領域情報と、撮影画像に対応付いている位置情報とが予め決められた関係にあるか否かを判断する。ここで、例えば、判断部１３３は、向き情報が示す向きから、領域内で撮影されていても領域外を撮影していると判断された場合は、予め決められた関係にないと判断する。一方、判断部１３３は、例えば、向き情報が示す向きから、領域外で撮影されていても領域内を撮影していると判断された場合は、予め決められた関係にあると判断する。なお、向き情報は方角を示す方角情報でも良い。
【００５８】
判断部１３３は、例えば、撮影画像に対応するファイルに含まれるスケジュール情報と、撮影画像に対応付いている日付情報とが整合性がとれているか否かを示す日付整合性を判断する。例えば、撮影画像に対応付いている日付情報（撮影された日付を示す情報）が、撮影画像に対応するファイルに含まれるスケジュール情報に存在しない場合、判断部１３３は、撮影画像に対応するファイルに含まれるスケジュール情報と、撮影画像に対応付いている日付情報とが整合性がとれていない、と判断する。例えば、撮影画像に対応付いている日付情報が示す日付（撮影された日付）が、当該撮影画像にリンク付いているレコードに含まれるスケジュール情報が示す日付と一致しない場合、判断部１３３は、撮影画像に対応するファイルに含まれるスケジュール情報と、撮影画像に対応付いている日付情報とが整合性がとれていない、と判断する。なお、スケジュール情報は、例えば、日付を示す日付情報、日時を示す日時情報などである。また、日付情報は、時刻を示す情報や時間帯を示す情報等を有しても良い。
【００５９】
判断部１３３は、１以上の撮影画像に対して、予め決められた条件を満たすか否かを判断する。
【００６０】
ここで、予め決められた条件とは、例えば、活動中の写真であるか否か、集合写真でないか否か、休憩中の写真でないか否か、活動人数に近い人の数が写っているか否か等である。また、予め決められた条件とは、例えば、活動人数に近い人の数が写っているか否か、レンタルまたはリースの機材が撮影画像に写っているか否か等である。
【００６１】
例えば、判断部１３３は、撮影画像を画像認識し、撮影画像に写っている人が立っていると判断した場合、撮影画像は活動中の画像であると判断する。また、例えば、判断部１３３は、撮影画像を画像認識し、撮影画像に写っている複数の人の顔が正面を向いており、かつ予め決められた距離よりも近い距離に複数の人が写っている場合、撮影画像は集合写真であると判断する。また、例えば、判断部１３３は、撮影画像を画像認識し、撮影画像に写っている複数の人が座っていると判断した場合、休憩中の撮影画像であると判断する。また、例えば、判断部１３３は、ファイルから活動人数に関する情報である活動人数情報を取得し、かつ撮影画像を画像認識し、撮影画像に写っている人の数を取得し、活動人数情報と撮影画像に写っている人の数との差異が予め決められた条件を満たすほど異なるか否かを判断する。また、例えば、判断部１３３は、ファイルからレンタルまたはリースの機材を特定する機材情報を取得した場合、撮影画像を画像認識し、当該機材情報に対応する機材が撮影画像に写っているか否かを判断する。例えば、判断部１３３は、画像認識によりオブジェクトを認識し、人と自然（山、木など）以外が写っていないと判断した場合に、機材情報に対応する機材が撮影画像に写っていないと判断しても良い。なお、撮影画像（写真）の中の顔を認識し、撮影画像の中の人の数を算出する技術、撮影画像の中の人が立っているか否かを判断する技術、撮影画像の中のオブジェクト（例えば、特定の機材）を認識する技術等は公知技術であるので、詳細な説明は省略する。
【００６２】
天気情報取得手段１３３１は、スケジュール情報に対応する天気情報を取得する。天気情報取得手段１３３１は、スケジュール情報に含まれる日付情報または日時情報を用いて、当該日付または日時の天気情報を取得する。天気情報取得手段１３３１は、例えば、外部のサーバ装置（図示しない）から天気情報を取得する。天気情報取得手段１３３１は、例えば、地域識別子で識別される地域の天気情報を取得することは好適である。なお、天気情報とは、天気に関する情報である。天気情報は、雨、晴などであり、気温を含んでも良い。なお、天気情報取得手段１３３１が天気情報を取得する方法は問わない。
【００６３】
判断対象情報取得手段１３３２は、ファイルから１以上の判断対象情報を取得する。判断対象情報は、例えば、活動人数情報、機材情報等である。
【００６４】
画像属性値取得手段１３３３は、撮影画像から１以上の画像属性値を取得する。画像属性値は、例えば、撮影画像内に写っている人数、撮影画像に対応する位置情報、撮影画像に対応する日付情報、撮影画像に対応する向き情報等である。画像属性値は、例えば、機材（機械）が写っているか否かを示す情報、写っている機材を示す機材情報等である。
【００６５】
判断手段１３３４は、天気情報取得手段が取得した天気情報が予め決められた条件を満たすか否かを示す天気整合性を判断する。予め決められた条件とは、例えば、晴または曇ではないことである。予め決められた条件とは、例えば、雨でないことである。
【００６６】
蓄積部１３４は、活動情報取得部１３２が取得した１以上の活動情報を、地域識別子取得部１３１が取得した地域識別子に対応付けて、データベース１１２に蓄積する。
【００６７】
蓄積部１３４は、地域識別子取得部１３１が取得した地域識別子に対応する地図情報または、地域識別子取得部１３１が取得した地域識別子に対応する領域情報にも対応付けて、取得した１以上の活動情報をデータベース１１２に蓄積する。なお、領域情報は、地図上の領域を識別する情報である。領域情報は、地図情報および地図情報内の領域を示す情報でも良い。領域情報は、例えば、多角形の座標値の集合、多角形の（緯度,経度）の集合などである。
【００６８】
蓄積部１３４は、１以上の撮影画像も、取得した１以上の活動情報に対応付けてデータベース１１２に蓄積する。
【００６９】
「地域識別子に対応付けて、データベースに蓄積する」ことは、地域識別子によって異なるデータベース１１２に蓄積することでも良い。「地域識別子に対応付けて、データベースに蓄積する」ことは、地域識別子と１以上の活動情報とを有するレコードをデータベース１１２に蓄積することでも良い。
【００７０】
出力部１４は、判断部１３３における判断結果を出力する。判断結果は、例えば、活動を行えない可能性があること、撮影画像に不具合があること、撮影画像に不具合がある可能性があること、ファイルの内容にミスがあること、ファイルの内容にミスがある可能性があること等である。
【００７１】
出力部１４は、特定の判断結果の場合（例えば、作業を行えない雨の場合）のみに、判断結果を出力しても良い。
【００７２】
出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００７３】
格納部１１、データベース１１２、地図情報格納部１１３、および判断情報格納部１１４は、不揮発性の記録媒体が好適であるが、揮発性の記録媒体でも実現可能である。格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００７４】
処理部１３、地域識別子取得部１３１、活動情報取得部１３２、判断部１３３、蓄積部１３４は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００７５】
出力部１４は、ディスプレイやスピーカー等の出力デバイスを含むと考えても含まないと考えても良い。出力部１４は、出力デバイスのドライバーソフトまたは、出力デバイスのドライバーソフトと出力デバイス等で実現され得る。
【００７６】
次に、多面的機能支払支援装置１の動作について、図２のフローチャートを用いて説明する。
【００７７】
（ステップＳ２０１）受付部１２は、ファイル等を受け付けたか否かを判断する。ファイル等を受け付けた場合はステップＳ２０２に行き、ファイル等を受け付けない場合はステップＳ２０１に戻る。なお、ファイル等とは、例えば、ファイルのみ、またはファイルと１以上の撮影画像等である。
【００７８】
（ステップＳ２０２）地域識別子取得部１３１は、ステップＳ２０１で受け付けられたファイルに対応する地域識別子を取得する。地域識別子取得部１３１は、例えば、ステップＳ２０１で受け付けられたファイルのファイル名の文字列から、予め決められた位置に存在する地域識別子（例えば、ファイル名から拡張子、 "．"、およびその他の情報を除く。なお、その他の情報は、無くても良いし、例えば、日付を示す数字列等でも良い。）を取得する。また、地域識別子取得部１３１は、例えば、ステップＳ２０１で受け付けられたファイル内から、地域識別子を取得する。地域識別子取得部１３１は、例えば、ステップＳ２０１で受け付けられたファイル内の予め決められた領域に格納されている地域識別子、またはステップＳ２０１で受け付けられたファイル内の所定のタグ（例えば、＜地域＞）に対応付けられている地域識別子を取得する。
【００７９】
（ステップＳ２０３）活動情報取得部１３２は、ステップＳ２０１で受け付けられたファイルから１以上の活動情報を取得する。なお、通常、活動情報取得部１３２は、ステップＳ２０１で受け付けられたファイルから、予め決められた１以上の活動情報を取得する。なお、活動情報取得部１３２は、例えば、活動情報が格納されている領域を知っており、当該領域から１以上の活動情報を取得しても良い。また、活動情報取得部１３２は、例えば、予め決められたタグに対応する１以上の活動情報を取得しても良い。
【００８０】
（ステップＳ２０４）判断部１３３は、ステップＳ２０１で受け付けられたファイル等の正当性のチェックを行う。かかる処理を判断処理という。判断処理について、図３フローチャートを用いて説明する。
【００８１】
（ステップＳ２０５）出力部１４は、ステップＳ２０４における判断結果がエラーの情報を含むか否かを判断する。エラーの情報を含む場合はステップＳ２０９に行き、エラーの情報を含まない場合はステップＳ２０６に行く。
【００８２】
（ステップＳ２０６）蓄積部１３４は、ステップＳ２０３で取得された１以上の活動情報等を用いて、蓄積する情報を構成する。
【００８３】
（ステップＳ２０７）蓄積部１３４は、ステップＳ２０６で構成した情報をデータベース１１２に蓄積する。なお、データベース１１２に、ステップＳ２０１で受け付けられた撮影画像が蓄積されても良いし、データベース１１２には撮影画像へのリンク情報が蓄積されても良い。
【００８４】
（ステップＳ２０８）蓄積部１３４は、ステップＳ２０１で受け付けられたファイル等をファイル格納部１１１に蓄積する。ステップＳ２０１に戻る。
【００８５】
（ステップＳ２０９）出力部１４は、判断結果に含まれるエラーの情報を出力する。なお、出力部１４は、判断結果を、そのまま出力しても良い。ステップＳ２０１に戻る。
【００８６】
なお、図２のフローチャートにおいて、電源オフや処理終了の割り込みにより処理は終了する。
【００８７】
また、図２のフローチャートにおいて、ステップＳ２０４における判断処理の結果、エラーとなった場合は活動情報を蓄積しなかったが、エラーとなった場合でも活動情報や撮影画像やファイル等を蓄積しても良い。
【００８８】
次に、ステップＳ２０４の判断処理について、図３フローチャートを用いて説明する。
【００８９】
（ステップＳ３０１）判断部１３３は、カウンタｉに１を代入する。
【００９０】
（ステップＳ３０２）判断部１３３は、ステップＳ２０１で受け付けられたファイル等の中に、ｉ番目の撮影画像が含まれるか否かを判断する。ｉ番目の撮影画像が含まれる場合はステップＳ３０３に行き、ｉ番目の撮影画像が含まれない場合はステップＳ３０７に行く。
【００９１】
（ステップＳ３０３）判断部１３３は、ｉ番目の撮影画像に対して、位置整合性判断を行う。位置整合性判断について、図４フローチャートを用いて説明する。
【００９２】
（ステップＳ３０４）判断部１３３は、ｉ番目の撮影画像に対して、日付整合性判断を行う。日付整合性判断について、図５フローチャートを用いて説明する。
【００９３】
（ステップＳ３０５）判断部１３３は、ｉ番目の撮影画像に対して、内容整合性判断を行う。内容整合性判断について、図６フローチャートを用いて説明する。
【００９４】
（ステップＳ３０６）判断部１３３は、カウンタｉを１、インクリメントする。ステップＳ３０２に戻る。
【００９５】
（ステップＳ３０７）判断部１３３は、ステップＳ２０１で受け付けられたファイルに対して、天気判断を行う。上位処理にリターンする。なお、天気判断について、図７フローチャートを用いて説明する。
【００９６】
なお、図３のフローチャートにおいて、撮影画像に対して行う整合性判断は、上記のすべての整合性判断で無くても良い。
【００９７】
次に、ステップＳ３０３の位置整合性判断について、図４フローチャートを用いて説明する。
【００９８】
（ステップＳ４０１）判断部１３３の判断対象情報取得手段１３３２は、地域識別子に対応付いた領域情報を取得する。
【００９９】
（ステップＳ４０２）画像属性値取得手段１３３３は、撮影画像に対応付いている位置情報を取得する。
【０１００】
（ステップＳ４０３）画像属性値取得手段１３３３は、撮影画像に対応付いている向き情報を取得する。なお、向き情報が取得できない場合もある、とする。
【０１０１】
（ステップＳ４０４）判断手段１３３４は、ステップＳ４０２で取得した位置情報とステップＳ４０１で取得した領域情報とが予め決められた関係にあるか否かを判断する。予め決められた関係にある場合はステップＳ４０５に行き、予め決められた関係にない場合はステップＳ４０６に行く。なお、判断手段１３３４は、位置情報と、領域情報および向き情報とが予め決められた関係にあるか否かを判断しても良い。
【０１０２】
（ステップＳ４０５）判断手段１３３４は、判断結果として、「撮影位置が適切」である旨の情報を取得する。上位処理にリターンする。
【０１０３】
（ステップＳ４０６）判断手段１３３４は、判断結果として、「撮影位置が不適切」である旨の情報を取得する。上位処理にリターンする。
【０１０４】
次に、ステップＳ３０４の日付整合性判断について、図５フローチャートを用いて説明する。
【０１０５】
（ステップＳ５０１）画像属性値取得手段１３３３は、撮影画像に対応付いている日付情報を取得する。
【０１０６】
（ステップＳ５０２）判断対象情報取得手段１３３２は、ファイルからスケジュール情報を取得する。
【０１０７】
（ステップＳ５０３）判断手段１３３４は、ステップＳ５０１で取得された日付情報が、ステップＳ５０２で取得されたスケジュール情報から、整合性がとれているか否かを判断する。整合性がとれている場合はステップＳ５０４に行き、整合性がとれていない場合はステップＳ５０５に行く。
【０１０８】
（ステップＳ５０４）判断手段１３３４は、判断結果として、「撮影の日付の整合性がとれている」旨の情報を取得する。上位処理にリターンする。
【０１０９】
（ステップＳ５０５）判断手段１３３４は、判断結果として、「撮影の日付の整合性がとれていない」旨の情報を取得する。上位処理にリターンする。
【０１１０】
次に、ステップＳ３０５の内容整合性判断について、図６フローチャートを用いて説明する。
【０１１１】
（ステップＳ６０１）判断部１３３は、撮影画像を画像認識し、活動判断を行う。活動判断とは、例えば、撮影画が集合写真でないか否かを判断することである。活動判断とは、例えば、撮影画が休憩中の写真でないか否かを判断することである。
【０１１２】
（ステップＳ６０２）判断部１３３は、ステップＳ６０１における活動判断の結果、撮影画像がエラーであるか否かを判断する。エラーである場合はステップＳ６０３に行き、エラーでない場合はステップＳ６０４に行く。
【０１１３】
（ステップＳ６０３）判断部１３３は、判断結果として、活動エラーを示す情報を取得する。なお、活動エラーを示す情報は、例えば、エラーである旨の情報、活動中の写真でない旨の情報、集合写真である旨の情報、休憩中の写真である旨の情報等である。
【０１１４】
（ステップＳ６０４）判断対象情報取得手段１３３２は、ファイルから活動人数を取得する。
【０１１５】
（ステップＳ６０５）画像属性値取得手段１３３３は、撮影画像を画像認識し、撮影画像に写っている人数を取得する。
【０１１６】
（ステップＳ６０６）判断手段１３３４は、ステップＳ６０４で取得した活動人数と、ステップＳ６０５で取得した人数とが、予め決められた条件に合致するか否かを判断する。予め決められた条件に合致する場合はステップＳ６０８に行き、予め決められた条件に合致しない場合はステップＳ６０７に行く。なお、予め決められた条件は、例えば、「｜ステップＳ６０４で取得した活動人数−ステップＳ６０５で取得した人数｜が予め決められた差以下または未満である」ことである。
【０１１７】
（ステップＳ６０７）判断手段１３３４は、判断結果として、活動人数エラーを示す情報を取得する。なお、活動人数エラーとは、撮影画像から活動の人数が認識できずに不適切であることを示すエラーである。
【０１１８】
（ステップＳ６０８）判断対象情報取得手段１３３２は、ファイルから機材情報を取得する。判断対象情報取得手段１３３２は、例えば、ファイル内の特定の領域または特定のタグ等に対応する機材情報を取得する。
【０１１９】
（ステップＳ６０９）判断手段１３３４は、ステップＳ６０８で機材情報を取得できたか否かを判断する。機材情報を取得できた場合はステップＳ６１０に行き、機材情報を取得できなかった場合は上位処理にリターンする。
【０１２０】
（ステップＳ６１０）判断手段１３３４は、撮影画像を画像認識し、撮影画像に機材が写っているか否かを判断する。機材が写っている場合は上位処理にリターンし、機材が写っていない場合はステップＳ６１１に行く。判断手段１３３４は、撮影画像を画像認識し、撮影画像に機材情報が示す機材が写っているか否かを判断することは好適である。なお、かかる場合、予定する１以上の機材の画像情報が予め格納されており、判断手段１３３４は、例えば、かかる画像情報と撮影画像内の機材の画像との類似度を算出し、類似度が閾値以内か否かを判断することにより、撮影画像に機材情報が示す機材が写っているか否かを判断する。
【０１２１】
（ステップＳ６１１）判断手段１３３４は、判断結果として、機材エラーを示す情報を取得する。上位処理にリターンする。なお、機材エラーとは、撮影画像から活動に使用されているはずの機材が認識できずに不適切であることを示すエラーである。
【０１２２】
次に、ステップＳ３０７の天気判断について、図７フローチャートを用いて説明する。
【０１２３】
（ステップＳ７０１）判断対象情報取得手段１３３２は、ファイルからスケジュール情報を取得する。
【０１２４】
（ステップＳ７０２）天気情報取得手段１３３１は、カウンタｉに１を代入する。
【０１２５】
（ステップＳ７０３）天気情報取得手段１３３１は、ステップＳ７０１で取得されたスケジュール情報の中に、ｉ番目の日付情報が存在するか否かを判断する。ｉ番目の日付情報が存在する場合はステップＳ７０４に行き、ｉ番目の日付情報が存在しない場合は上位処理にリターンする。
【０１２６】
（ステップＳ７０４）天気情報取得手段１３３１は、ｉ番目の日付情報に対して、天気を判断する対象であるか否かを判断する。ｉ番目の日付情報が天気判断対象であればステップＳ７０５に行き、天気判断対象でなければステップＳ７０８に行く。なお、天気情報取得手段１３３１は、例えば、ｉ番目の日付情報に対応する活動を示す活動情報を取得し、当該活動情報が示す活動に、天気を判断するか否かを示すフラグが付与されているか否かを判断する。または、天気情報取得手段１３３１は、例えば、ｉ番目の日付情報に対応する活動を示す活動情報を取得し、当該活動情報が示す活動が天気を判断する活動として管理されているか否かを判断する。
【０１２７】
（ステップＳ７０５）天気情報取得手段１３３１は、ｉ番目の日付情報が示す日または日時または時間帯の天気であり、地域識別子に対応する地域の天気を示す天気情報を取得する。
【０１２８】
（ステップＳ７０６）判断手段１３３４は、ステップＳ７０５で取得された天気情報が予め決められた条件（例えば、「雨ではない」）を満たすか否かを判断する。予め決められた条件を満たす場合はステップＳ７０８に行き、予め決められた条件を満たさない場合はステップＳ７０７に行く。
【０１２９】
（ステップＳ７０７）判断手段１３３４は、判断結果として、天気判断エラーを示す情報を取得する。
【０１３０】
（ステップＳ７０８）天気情報取得手段１３３１は、カウンタｉを１、インクリメントする。ステップＳ７０３に戻る。
【０１３１】
以下、本実施の形態における多面的機能支払支援装置１の具体的な動作について説明する。
【０１３２】
今、地図情報格納部１１３は、図８に示す地図情報と、図９に示す領域管理表を格納している。地図情報は、地域の地図を示す情報である。図８の地図情報には、４つの領域識別子（８０１、８０２、８０３、８０４）が対応付いている。また、図８の地図情報は、地域の活動の対象領域を示す地図情報である。図８の地図情報は、地図を識別する地図識別子」「ＭＡＰ０１」というファイル名を有する、とする。また、図８の地図情報は、地域識別子「京丹後」に対応する地図情報として、地図情報格納部１１３で管理されている。また、地域の活動とは、例えば、道路の整備の活動、パイプラインの補修の活動、開水路の清掃活動、ため池の清掃活動等である。図８の地図情報の４つの各領域は、領域を特定する２つの位置情報で特定される。位置情報は、ここでは、（緯度，経度）である。また、領域管理表は、地域における領域を管理する表であり、「領域ＩＤ（領域識別子）」「地図識別子」「領域情報」「領域用途」を有するレコードを１以上格納している。「領域ＩＤ（領域識別子）」は領域を識別する情報である。「地図識別子」は地図を識別する情報である。「領域情報」は領域を特定する情報であり、ここでは２つの位置情報を有する。つまり、ここでの領域は、ここでは２つの位置情報で特定される矩形領域である。「領域用途」は、領域の用途を示す情報である。
【０１３３】
かかる状況において、多面的機能支払交付金の対象であり、農業・農村の多面的機能の維持・発揮を図るための活動の記録を記載したファイル「京丹後＿点検・機能診断結果記録.xlsx」（図１０参照）を、受付部１２が受け付けた、とする。そして、ファイル「京丹後＿点検・機能診断結果記録.xlsx」と共に、図１１に示すファイル「京丹後＿構成員一覧.xlsx」も受付部１２が受け付けた、とする。さらに、受付部１２は、ファイル「京丹後＿点検・機能診断結果記録.xlsx」等と共に、図１２から図１６の写真を受け付けた、とする。図１１から図１５の各写真のファイル名は、「ｐ０１．ｊｐｇ」「ｐ０２．ｊｐｇ」「ｐ０３．ｊｐｇ」「ｐ０４．ｊｐｇ」「ｐ０５．ｊｐｇ」である。そして、図１２から図１６の各写真は、図１７の写真管理表に示すように、位置情報（ｘ，ｙ）と向き情報「ｄ」とに対応付いている。図１２から図１６の各写真は、位置情報（ｘ，ｙ）と向き情報「ｄ」とを有しても良い。なお、ここでの位置情報（ｘ，ｙ）は、（緯度，経度）である。向き情報「ｄ」は、例えば、「北北東」「南西」などの方角を示す情報でも良いし、所定の方角（例えば、真北）からの角度（例えば、「１８度」等）等でも良い。なお、位置情報（ｘ，ｙ）は撮影された位置を示す情報であり、向き情報「ｄ」は、撮影された向きを示す情報である。
【０１３４】
次に、地域識別子取得部１３１は、受け付けられたファイル「京丹後＿点検・機能診断結果記録.xlsx」に対応する地域識別子「京丹後」を取得する。また、地域識別子取得部１３１は、受け付けられたファイル「京丹後＿構成員一覧.xlsx」に対応する地域識別子「京丹後」を取得する。ここでは、地域識別子取得部１３１は、受け付けられたファイルのファイル名「ＸＸＸＸ＿ＹＹＹＹ.xlsx」のうちの「ＸＸＸＸ」を地域識別子として取得する。なお、蓄積部１３４は、受け付けられたファイルの情報である活動情報を、地域識別子「ＸＸＸＸ」に対応するデータベースの、受け付けられたファイルのファイル名のうちの「ＹＹＹＹ」に対応するテーブルに蓄積するものとする。
【０１３５】
次に、活動情報取得部１３２は、受け付けられたファイル「京丹後＿点検・機能診断結果記録.xlsx」から１以上の活動情報を取得する。ここで取得した活動情報は、実際の活動内容に関する情報である（図１０参照）。また、活動情報取得部１３２は、受け付けられたファイル「京丹後＿構成員一覧.xlsx」から１以上の活動情報を取得する。ここで取得した活動情報は、活動者（構成員）に関する情報である。
【０１３６】
次に、判断部１３３は、例えば、以下のように、受け付けられたファイルの正当性のチェックを行う。
【０１３７】
まず、判断部１３３の判断対象情報取得手段１３３２は、地域識別子「京丹後」に対応付いた領域情報「（ｘ１，ｙ１）（ｘ２，ｙ２）」「（ｘ３，ｙ３）（ｘ４，ｙ４）」「（ｘ５，ｙ５）（ｘ６，ｙ６）」「（ｘ７，ｙ７）（ｘ８，ｙ８）」を、図９から取得する。次に、画像属性値取得手段１３３３は、写真「ｐ０１．ｊｐｇ」（図１２）に対応付いた位置情報（ｘ９，ｙ９）と向き情報「ｄ１」とを取得する。次に、判断手段１３３４は、取得した位置情報（ｘ９，ｙ９）と向き情報「ｄ１」とが、取得した４つの領域情報のうちのいずれかを撮影しているか否かを判断する。つまり、判断手段１３３４は、取得した位置情報（ｘ９，ｙ９）が、取得した４つの領域情報「（ｘ１，ｙ１）（ｘ２，ｙ２）」「（ｘ３，ｙ３）（ｘ４，ｙ４）」「（ｘ５，ｙ５）（ｘ６，ｙ６）」「（ｘ７，ｙ７）（ｘ８，ｙ８）」が示すいずれかの領域内の位置を示す情報であるか否かを判断する。ここで、判断手段１３３４は、位置情報（ｘ９，ｙ９）が４つの領域のうちのいずれかの領域内の位置を示す情報である場合は、取得した位置情報と取得した領域情報とが予め決められた関係にある、と判断するとする。ただし、ここで、判断手段１３３４は、取得した位置情報（ｘ９，ｙ９）が、取得した４つの領域情報「（ｘ１，ｙ１）（ｘ２，ｙ２）」「（ｘ３，ｙ３）（ｘ４，ｙ４）」「（ｘ５，ｙ５）（ｘ６，ｙ６）」「（ｘ７，ｙ７）（ｘ８，ｙ８）」が示すいずれかの領域内の位置を示す情報でない、と判断した、とする。しかし、判断手段１３３４は、取得した位置情報（ｘ９，ｙ９）が、取得したいずれの領域情報が示す領域内に無い場合でも、位置情報（ｘ９，ｙ９）がいずれかの領域の境界から閾値（例えば、１０ｍ）以内であり、向き情報「ｄ１」が示す向きが、当該領域の方を向いている向きである場合は、判断手段１３３４は、取得した位置情報と取得した領域情報とが予め決められた関係にある、と判断する、とする。そして、ここでは、判断手段１３３４は、取得した位置情報（ｘ９，ｙ９）が、取得したいずれの領域情報が示す領域内に無い場合であり、位置情報（ｘ９，ｙ９）がいずれかの領域の境界から閾値（例えば、１０ｍ）以内であり、向き情報「ｄ１」が示す向きが、当該領域の方を向いている向きである、と判断した、とする。つまり、判断手段１３３４は、取得した位置情報と取得した領域情報とが予め決められた関係にある、と判断した、とする。そして、判断手段１３３４は、判断結果として、図１２の写真に対して、「撮影位置が適切」である旨の情報を取得する。そして、出力部１４は、図１２の写真に対して、「撮影位置が適切」である旨の情報を出力する。なお、判断部１３３は、かかる位置整合性判断を、図１３から図１６の写真に対しても行うことは好適である。
【０１３８】
次に、判断部１３３は、例えば、図１３の写真を画像認識し、活動判断を行う。つまり、例えば、判断部１３３は、図１３の写真を顔認識し、顔が閾値以内の距離で閾値以上の数（例えば、３以上、または５以上等）、存在することを検知する。そして、判断部１３３は、図１３の写真は、集合写真であり、活動中の写真では無い、と判断する。そして、図１３の写真「ｐ０３．ｊｐｇ」は、集合写真であり、活動中の写真では無いので、出力部１４は、図１３の写真「ｐ０３．ｊｐｇ」は不適切である旨を出力する。なお、判断部１３３は、かかる内容整合性判断を、図１２、図１４から図１６の写真に対しても行うことは好適である。
【０１３９】
次に、判断部１３３は、例えば、図１４の写真をチェックする。つまり、判断対象情報取得手段１３３２は、ファイル「京丹後＿構成員一覧.xlsx」から活動人数「５」を取得する。判断対象情報取得手段１３３２は、ファイル「京丹後＿構成員一覧.xlsx」から、氏名の属性値の数「５」を取得する。次に、画像属性値取得手段１３３３は、図１４を画像認識し、写真に写っている人数「１」を取得する。そして、判断手段１３３４は、取得した活動人数「５」と、取得した人数「１」とが、予め決められた条件（例えば、「｜活動人数−写真に写っている人数｜＜＝２」に合致しない、と判断した、とする。次に、判断手段１３３４は、図１４の写真に対する判断結果として、活動人数エラーを示す情報を取得する。そして、出力部１４は、図１４の写真に対して、活動人数エラーを示す情報を出力する。なお、判断部１３３は、かかる内容整合性判断を、図１２、図１３，図１５、図１６の写真に対しても行うことは好適である。
【０１４０】
次に、判断部１３３は、例えば、図１５の写真をチェックする。また、判断対象情報取得手段１３３２は、ファイルから機材情報「桑」を取得した、とする。画像属性値取得手段１３３３は、図１５の写真を画像認識し、写真に「桑」が写っている、と判断する。そして、判断手段１３３４は、判断結果として、機材情報は正しい旨の情報を取得する。そして、出力部１４は、図１５の写真に対して、機材情報は正しい旨の情報を出力する。一方、判断部１３３は、図１４の写真と同様の判断を図１５の写真に対して行い、活動人数エラーを示す情報を取得する。そして、出力部１４は、図１５の写真に対して、活動人数エラーを示す情報を出力する。なお、判断部１３３は、かかる内容整合性判断を、図１２、図１３，図１４、図１６の写真に対しても行うことは好適である。
【０１４１】
次に、判断部１３３は、例えば、図１６の写真をチェックする。つまり、判断対象情報取得手段１３３２は、ファイル「京丹後＿構成員一覧.xlsx」から活動人数「５」を取得する。次に、画像属性値取得手段１３３３は、図１６を画像認識し、写真に写っている人数「４」を取得する。そして、判断手段１３３４は、取得した活動人数「５」と、取得した人数「４」とが、予め決められた条件（例えば、「｜活動人数−写真に写っている人数｜＜＝２」に合致する、と判断した、とする。次に、判断手段１３３４は、図１６の写真に対する判断結果として、活動人数が正常である旨を示す情報を取得する。そして、出力部１４は、図１６の写真に対して、活動人数が正常である旨を示す情報を出力する。なお、判断部１３３は、かかる内容整合性判断を、図１２から図１５の写真に対しても行うことは好適である。
【０１４２】
次に、判断部１３３は、以下のような天気判断を行う。つまり、判断対象情報取得手段１３３２は、ファイル「京丹後＿点検・機能診断結果記録.xlsx」からスケジュール情報を取得する。ここでのスケジュール情報は、修復履歴が有する実施時期（年月日）である。つまり、判断対象情報取得手段１３３２は、ファイル「京丹後＿点検・機能診断結果記録.xlsx」から、コンクリート舗装を行った実施時期「Ｈ２７．１０／２５−１１／１」を取得する。また、判断対象情報取得手段１３３２は、ファイル「京丹後＿点検・機能診断結果記録.xlsx」から、浸食部分に土を補充した整形の実施時期「Ｈ２７．９．３０」を取得する。さらに、判断対象情報取得手段１３３２は、ファイル「京丹後＿点検・機能診断結果記録.xlsx」から、モルタルでもとの形状を復元した実施時期「Ｈ２７．１１．２６」を取得する。そして、天気情報取得手段１３３１は、取得されたスケジュール情報が示す日付「Ｈ２７．１０／２５−１１／４」、「Ｈ２７．９．３０」、「Ｈ２７．１１．２６」の天気であり、地域識別子「京丹後」に対応する地域の天気を示す天気情報を、図示しないサーバ装置から取得する。ここで、天気情報取得手段１３３１は、平成２７年の下記の日付について、「１０／２５：晴，１０／２６：晴，１０／２７：曇，１０／２８：曇，１０／２９：晴のち曇，１０／３０：曇のち晴，１０／３１：曇，１１／１：雨」「９／３０：雨」、「１１／２６：晴」を得た、とする。そして、判断手段１３３４は、スケジュール情報「Ｈ２７．１０／２５−１１／１」および「１１／２６」に対応する天気情報が予め決められた条件（ここでは、雨でない確率７５％以上）を満たす、と判断する。一方、判断手段１３３４は、スケジュール情報「Ｈ２７．９．３０」に対応する天気情報が予め決められた条件（ここでは、雨でない確率７５％以上）を満たさない、と判断する。そして、判断手段１３３４は、スケジュール情報「Ｈ２７．９．３０」に対応する判断結果として、天気判断エラーを示す情報を取得する。そして、出力部１４は、スケジュール情報「Ｈ２７．９．３０」に対応する判断結果として、天気判断エラーを示す情報を出力する。
【０１４３】
また、蓄積部１３４は、取得された１以上の活動情報等を用いて、蓄積する情報を構成する。そして、蓄積部１３４は、構成した情報をデータベース１１２に蓄積する。その結果、蓄積部１３４は、ファイル「京丹後＿点検・機能診断結果記録.xlsx」の活動情報を、図１８のデータベースのテーブルに記録する。なお、活動情報は、機能診断と修復履歴の２種類の情報を有する。
【０１４４】
以上、本実施の形態によれば、複数地域から受け付けた多面的機能支払のための活動に関する情報を適切に管理できる。なお、複数の地域とは複数の領域でも良い。
【０１４５】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、地域の活動に関する１以上の活動情報が格納されている２以上のファイルを受け付ける受付部と、前記２以上のファイルの各属性値に対応する地域識別子、または前記２以上の各ファイルの中の地域識別子を、ファイルごとに取得する地域識別子取得部と、前記２以上の各ファイルに格納されている１以上の活動情報を取得する活動情報取得部と、前記活動情報取得部が取得した１以上の活動情報を、前記地域識別子取得部が取得した地域識別子に対応付けて、データベースに蓄積する蓄積部として機能させるためのプログラムである。
【０１４６】
また、上記プログラムにおいて、前記地域識別子取得部は、前記２以上の各ファイルのファイル名を用いて地域識別子をファイルごとに取得するものとして、コンピュータを機能させるプログラムであることは好適である。
【０１４７】
また、上記プログラムにおいて、地域識別子に対応付いた１以上の地図情報が格納される地図情報格納部をさらに具備し、前記蓄積部は、前記地域識別子取得部が取得した地域識別子に対応する地図情報または、前記地域識別子取得部が取得した地域識別子に対応する地図上の領域を識別する領域情報にも対応付けて、前記取得した１以上の活動情報をデータベースに蓄積するものとして、コンピュータを機能させるプログラムであることは好適である。
【０１４８】
また、上記プログラムにおいて、前記受付部は、ファイルに対応付いた１以上の撮影画像も受け付け、前記蓄積部は、前記１以上の撮影画像も、前記取得した１以上の活動情報に対応付けてデータベースに蓄積するものとして、コンピュータを機能させるプログラムであることは好適である。
【０１４９】
また、上記プログラムにおいて、前記撮影画像は、位置情報に対応付けられており、コンピュータを、前記撮影画像に対応する地域識別子に対応する地図情報または前記撮影画像に対応する領域情報と、前記撮影画像に対応付いている位置情報とが予め決められた関係にあるか否かを示す位置整合性を判断する判断部と、前記判断部における判断結果を出力する出力部とをしてさらに機能させるプログラムであることは好適である。
【０１５０】
また、上記プログラムにおいて、前記判断部は、前記撮影画像に対応付いている位置情報が示す位置が、前記撮影画像に対応する地域識別子に対応する地図情報が示す領域の範囲外または前記撮影画像に対応する領域情報が示す領域の範囲外であっても、前記領域から予め決められた条件を満たすほど近い場合は、前記予め決められた関係にあると判断するものとして、コンピュータを機能させるプログラムであることは好適である。
【０１５１】
また、上記プログラムにおいて、前記撮影画像は、撮影時の向きを示す向き情報にも対応付いており、前記判断部は、前記向き情報をも用いて、前記撮影画像に対応する地図情報または前記撮影画像に対応する領域情報と、前記撮影画像に対応付いている位置情報とが予め決められた関係にあるか否かを判断するものとして、コンピュータを機能させるプログラムであることは好適である。
【０１５２】
また、上記プログラムにおいて、前記ファイルは、活動のスケジュールに関するスケジュール情報を含み、前記撮影画像は、撮影された日付に関する日付情報に対応付いており、コンピュータを、前記撮影画像に対応するファイルに含まれるスケジュール情報と、前記撮影画像に対応付いている日付情報とが整合性がとれているか否かを示す日付整合性を判断する判断部と、前記判断部における判断結果を出力する出力部としてさらに機能させるプログラムであることは好適である。
【０１５３】
また、上記プログラムにおいて、前記ファイルは、活動のスケジュールに関するスケジュール情報を含み、前記判断部は、前記スケジュール情報に対応する天気情報を取得する天気情報取得手段と、前記天気情報取得手段が取得した天気情報が予め決められた条件を満たすか否かを示す天気整合性を判断する判断手段とを具備し、前記判断部における判断結果を出力する出力部とをさらに具備するものとして、コンピュータを機能させるプログラムであることは好適である。
【０１５４】
また、上記プログラムにおいて、コンピュータを、前記１以上の撮影画像に対して、予め決められた条件を満たすか否かを判断する判断部と、前記判断部における判断結果を出力する出力部としてさらに機能させるプログラムであることは好適である。
ものとして、コンピュータを機能させるプログラムであることは好適である。  また、上記プログラムにおいて、前記判断部は、前記ファイルから１以上の判断対象情報を取得する判断対象情報取得手段と、前記撮影画像から１以上の画像属性値を取得する画像属性値取得手段とをさらに具備し、前記１以上の判断対象情報と前記１以上の画像属性値とを用いて、前記１以上の撮影画像に対して、予め決められた条件を満たすか否かを判断するものとして、コンピュータを機能させるプログラムであることは好適である。
【０１５５】
また、図１９は、本明細書で述べたプログラムを実行して、上述した種々の実施の形態の多面的機能支払支援装置等を実現するコンピュータの外観を示す。上述の実施の形態は、コンピュータハードウェア及びその上で実行されるコンピュータプログラムで実現され得る。図１９は、このコンピュータシステム３００の概観図であり、図２０は、システム３００のブロック図である。
【０１５６】
図１９において、コンピュータシステム３００は、ＣＤ−ＲＯＭドライブ３０１２を含むコンピュータ３０１と、キーボード３０２と、マウス３０３と、モニタ３０４とを含む。
【０１５７】
図２０において、コンピュータ３０１は、ＣＤ−ＲＯＭドライブ３０１２と、ＭＰＵ３０１３と、ＭＰＵ３０１３と、バス３０１４と、ＲＯＭ３０１５と、ＲＡＭ３０１６と、ハードディスク３０１７とを含む。ＲＯＭ３０１５は、ブートアッププログラム等のプログラムを記憶している。ＲＡＭ３０１６は、ＭＰＵ３０１３に接続され、アプリケーションプログラムの命令を一時的に記憶するとともに一時記憶空間を提供する。ハードディスク３０１７は、通常、アプリケーションプログラム、システムプログラム、及びデータを記憶している。ここでは、図示しないが、コンピュータ３０１は、さらに、ＬＡＮへの接続を提供するネットワークカードを含んでも良い。
【０１５８】
コンピュータシステム３００に、上述した実施の形態の多面的機能支払支援装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。また、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１５９】
プログラムは、コンピュータ３０１に、上述した実施の形態の多面的機能支払支援装置１等の機能を実行させるオペレーティングシステム（ＯＳ）、またはサードパーティープログラム等は、必ずしも含まなくても良い。プログラムは、制御された態様で適切なモジュールを呼び出し、所望の結果が得られるようにする命令の部分のみを含んでいれば良い。コンピュータシステム３００がどのように動作するかは周知であり、詳細な説明は省略する。
【０１６０】
また、上記プログラムを実行するコンピュータは、単数であってもよく、複数であってもよい。すなわち、集中処理を行ってもよく、あるいは分散処理を行ってもよい。
【０１６１】
また、上記各実施の形態において、各処理（各機能）は、単一の装置（システム）によって集中処理されることによって実現されてもよく、あるいは、複数の装置によって分散処理されることによって実現されてもよい。
【０１６２】
本発明は、以上の実施の形態に限定されることなく、種々の変更が可能であり、それらも本発明の範囲内に包含されるものであることは言うまでもない。
【産業上の利用可能性】
【０１６３】
以上のように、本発明にかかる多面的機能支払支援装置は、多面的機能支払の支援を容易に行えるという効果を有し、多面的機能支払支援装置等として有用である。
【符号の説明】
【０１６４】
１  多面的機能支払支援装置
１１  格納部
１２  受付部
１３  処理部
１４  出力部
１１１  ファイル格納部
１１２  データベース
１１３  地図情報格納部
１１４  判断情報格納部
１３１  地域識別子取得部
１３２  活動情報取得部
１３３  判断部
１３４  蓄積部
１３３１  天気情報取得手段
１３３２  判断対象情報取得手段
１３３３  画像属性値取得手段
１３３４  判断手段
【図１】
2018060565.tif 000003
【図２】
2018060565.tif 000004
【図３】
2018060565.tif 000005
【図４】
2018060565.tif 000006
【図５】
2018060565.tif 000007
【図６】
2018060565.tif 000008
【図７】
2018060565.tif 000009
【図８】
2018060565.tif 000010
【図９】
2018060565.tif 000011
【図１０】
2018060565.tif 000012
【図１１】
2018060565.tif 000013
【図１２】
2018060565.tif 000014
【図１３】
2018060565.tif 000015
【図１４】
2018060565.tif 000016
【図１５】
2018060565.tif 000017
【図１６】
2018060565.tif 000018
【図１７】
2018060565.tif 000019
【図１８】
2018060565.tif 000020
【図１９】
2018060565.tif 000021
【図２０】
2018060565.tif 000022